(57)【特許請求の範囲】
【請求項１】
電力系統の系統電圧に同期した同期信号を作成する位相同期回路と、前記同期回路から出力される同期信号に基づき系統電圧に同期し、且つ、公称値に相当する振幅を有する基準正弦波を発生する第１基準波形発生回路と、前記同期信号に基づき系統電圧に同期し、且つ、公称値に相当する振幅を有する基準余弦波を発生する第２基準波形発生回路と、前記系統電圧の絶対値波形を作成する第１絶対値回路と、前記系統電圧を進相させる移相回路を通って作成された系統電圧の進相信号の絶対値波形を作成する第２絶対値回路と、前記第１基準波形発生回路出力と第１絶対値回路出力、及び前記第２基準波形発生回路出力と第２絶対値回路出力とをそれぞれ減算する第１及び第２各減算回路と、前記第１減算回路出力の正極性成分のみを積分すると共に、前記位相同期回路から出力される所定位相毎のリセット信号によりリセットされる第１単極性積分回路と、前記第２減算回路出力の正極性成分のみを積分すると共に、前記位相同期回路から出力される所定位相毎のリセット信号によりリセットされる第２単極性積分回路と、前記第１単極性積分回路出力と基準電圧、及び前記第２単極性積分回路出力と基準電圧とをそれぞれ比較する第１及び第２各比較回路と、第１、第２各比較回路出力に基づき第１又は第２単極性積分回路の何れかの出力が基準電圧を超えた時、電圧低下検出信号を発生保持する検出信号発生回路とを具備したことを特徴とする電圧低下検出回路。
【発明の詳細な説明】
【０００１】
【発明の属する技術分野】
本発明は、瞬時電圧低下補償装置、停電補償装置、無停電電源等における電圧低下検出に使用される電圧低下検出回路に関するものである。
【０００２】
【従来の技術】
例えば系統の電圧が停電したり、送電線の事故等で地絡が生じた時の電圧低下を検出する電圧低下検出回路の一例を図７を参照して次に示す（実開昭６３−１９９０７４号公報）。図において（１）は電力系統、（２）は系統電圧検出用変圧器、（３）は位相同期回路、（４）は基準波形発生回路、（５）は絶対値回路、（６）は減算回路、（７）は単極性積分回路、（８）は比較回路、（９）は検出信号発生回路である。
【０００３】
位相同期回路（３）は、入力された電力系統（１）の系統電圧（Ｖｓ）に基づき系統電圧（Ｖｓ）に位相同期した同期信号を発生し、同期信号を基準波形発生回路（４）へ加える。基準波形発生回路（４）は基準正弦波発生回路（１０）と絶対値回路（１１）とを具備し、位相同期回路（３）から出力される同期信号に基づき系統電圧（Ｖｓ）に同期し、且つ、系統電圧（Ｖｓ）の公称値に相当する振幅を有する基準正弦波の絶対値波形（Ｖsin * ）を発生する。
【０００４】
減算回路（６）は基準波形発生回路（４）の出力、即ち基準正弦波の絶対値波形（Ｖsin * ）から絶対値回路（５）の出力、即ち系統電圧の絶対値波形（Ｖｓ* ）を減算する。減算出力は無事故時には０であり、事故等により電圧低下が発生した時、減算出力（Ｖsin * −Ｖｓ* ）が生じる。
【０００５】
単極性積分回路（７）は、減算回路（６）の出力（Ｖsin * −Ｖｓ* ）が発生した時、それを半波整流して正極性成分のみを出力する半波整流回路（１２）と、半波整流回路（１２）の出力を積分する積分回路（１３）とで構成され、減算回路（６）の出力（Ｖsin * −Ｖｓ* ）の正極性成分のみを積分すると共に、基準正弦波の絶対値波形（Ｖsin * ）の所定位相（基準正弦波Ｖsin の０度、９０度、１８０度、２７０度）毎のリセット信号（Ｒｅ）によりリセットされる。
【０００６】
比較回路（８）は、単極性積分回路（７）の出力（Ｖｘ）を正の基準電圧（Ｖｒ）と比較する。検出信号発生回路（９）は、比較回路（８）の出力（Ｖｙ）に基づき単極性積分回路（７）の出力（Ｖｘ）が基準電圧（Ｖｒ）を超えた時に出力を高レベルに保持、即ち電圧低下検出信号（Ｖｚ）を発生保持する。
【０００７】
上記構成に基づきその動作を次に説明する。まず電力系統（１）より変圧器（２）を介して入力された系統電圧（Ｖｓ）を位相同期回路（３）に入力する。位相同期回路（３）は系統電圧（Ｖｓ）に基づき系統電圧（Ｖｓ）に位相同期した同期信号を発生して基準波形発生回路（４）へ加える。
【０００８】
基準波形発生回路（４）は、位相同期回路（３）から加えられる同期信号に基づき電力系統（１）の系統電圧（Ｖｓ）に同期し、且つ、系統電圧（Ｖｓ）の公称値に相当する振幅を有する基準正弦波の絶対値波形（Ｖsin * ）を発生して減算回路（６）の正側入力端へ加える。一方、変圧器（２）を介して入力された系統電圧（Ｖｓ）を絶対値回路（５）に入力し、系統電圧の絶対値波形（Ｖｓ* ）を作って減算回路（６）の負側入力端へ加える。
【０００９】
減算回路（６）は、絶対値回路（１１）の出力である基準正弦波の絶対値波形（Ｖsin * ）から絶対値回路（５）の出力である系統電圧の絶対値波形（Ｖｓ* ）を減算し、その出力（Ｖsin * −Ｖｓ* ）を単極性積分回路（７）に加える。単極性積分回路（７）は、減算回路（６）の出力（Ｖsin * −Ｖｓ* ）の正極性成分のみを積分し、その積分電圧（Ｖｘ）を比較回路（８）へ加える。
【００１０】
この際、単極性積分回路（７）は、前述したように、位相同期回路（３）から与えられるリセット信号によって基準正弦波（Ｖsin ）の０度、９０度、１８０度、２７０度の各位相でそれぞれリセットされることになる。尚、単極性積分回路（７）は、具体的には、減算回路（６）の出力（Ｖsin * −Ｖｓ* ）を半波整流してその正極性成分を積分回路（１３）へ送り、正極性成分を積分する。
【００１１】
比較回路（８）は、単極性積分回路（７）の積分電圧（Ｖｘ）を基準電圧（Ｖｒ）と常時比較し、積分電圧（Ｖｘ）が基準電圧（Ｖｒ）を超えた時、即ち停電等により基準値以上に大きい減算出力（Ｖsin * −Ｖｓ* ）が発生した時、異常と判定して出力（Ｖｙ）を発生して検出信号発生回路（９）へ送る。検出信号発生回路（９）は比較回路（８）の出力（Ｖｙ）でもってトリガされ、出力（Ｖｙ）が準安定状態となって電圧低下検出信号（Ｖｚ）を発生する。
【００１２】
上記電圧低下検出回路においては、電力系統（１）の電圧低下が位相変化を伴う場合には減算回路（６）の出力（Ｖsin * −Ｖｓ* ）が或る期間毎に正の状態と負の状態とに交互に変化するので、半波整流回路（１２）が有効に作用する。
【００１３】
例えば停電等により１０％の電圧低下が系統電圧０度位相で発生し、電圧低下時に位相が６０度進んだ場合、基準正弦波の絶対値波形（Ｖsin * ）及び系統電圧の絶対値波形（Ｖｓ* ）は図８（ａ）に示すようになる。そして、系統電圧０度位相で両波形の差分が生じ、減算回路（６）の出力において図８（ｂ）に示す鋸歯状波形（Ｖａ）を得る。波形（Ｖａ）を半波整流回路（１２）で半波整流して積分回路（１３）で積分し、更に位相同期回路（３）からのリセット信号（Ｒｅ）によって点線で示すように（１／４）周期毎にリセットを掛け、図８（ｃ）に示す積分電圧（Ｖｘ）を得る。積分電圧（Ｖｘ）が基準電圧（Ｖｒ）を超えた時点（Ｔｏ）で比較回路（８）から図８（ｄ）に示すパルス波形の出力（Ｖｙ）を発生し、電圧低下による異常を検出する。
【００１４】
尚、リセット信号（Ｒｅ）は基準正弦波の絶対値波形（Ｖsin * ）の所定位相（基準正弦波Ｖsin の０度、９０度、１８０度、２７０度）毎に、比較回路（８）の基準電圧（Ｖｒ）の設定は電力系統（１）の系統電圧（Ｖｓ）が公称値の９０％以下まで低下した状態における積分回路（１３）のリセット直前の積分電圧（Ｖｘ）に等しい値にセットされている。
【００１５】
【発明が解決しようとする課題】
前述の電圧低下検出回路では、図８（ｄ）に示すように、系統電圧（Ｖｓ）の位相が９０度の近傍で（Ｖｙ）にパルスが発生、つまり電圧低下が検出されるまでに（１／４）周期以上の遅れ時間（Ｔａ）を生じている。即ち、系統電圧（Ｖｓ）の位相によって検出時間に差異が生じ、瞬時電圧低下補償装置、停電補償装置等の補償装置における電圧低下検出回路の停電や瞬時電圧低下に対する検出遅れは補償動作が開始されるまでの遅れとなり、ひいては被補償装置が停止する等、被補償装置の動作に支障を来すという不具合が生じる恐れがある。
【００１６】
本発明の目的は、如何なる位相においても電圧低下を高速に検出出来る電圧低下検出回路を提供することである。
【００１７】
【課題を解決するための手段】
本発明は、電力系統の系統電圧に同期した同期信号を作成する位相同期回路と、前記同期回路から出力される同期信号に基づき系統電圧に同期し、且つ、公称値に相当する振幅を有する基準正弦波を発生する第１基準波形発生回路と、前記同期信号に基づき系統電圧に同期し、且つ、公称値に相当する振幅を有する基準余弦波を発生する第２基準波形発生回路と、前記系統電圧の絶対値波形を作成する第１絶対値回路と、前記系統電圧を進相させる移相回路を通って作成された系統電圧の進相信号の絶対値波形を作成する第２絶対値回路と、前記第１基準波形発生回路出力と第１絶対値回路出力、及び前記第２基準波形発生回路出力と第２絶対値回路出力とをそれぞれ減算する第１及び第２各減算回路と、前記第１減算回路出力の正極性成分のみを積分すると共に、前記位相同期回路から出力される所定位相毎のリセット信号によりリセットされる第１単極性積分回路と、前記第２減算回路出力の正極性成分のみを積分すると共に、前記位相同期回路から出力される所定位相毎のリセット信号によりリセットされる第２単極性積分回路と、前記第１単極性積分回路出力と基準電圧、及び前記第２単極性積分回路出力と基準電圧とをそれぞれ比較する第１及び第２各比較回路と、第１、第２各比較回路出力に基づき第１又は第２単極性積分回路の何れかの出力が基準電圧を超えた時、電圧低下検出信号を発生保持する検出信号発生回路とを具備したことを特徴とする。
【００１８】
【発明の実施の形態】
本発明に係る電圧低下検出回路の実施の形態を図１〜図６を参照して以下に説明する。まず図１において（１）は電力系統、（２）は系統電圧検出用変圧器、（３）は位相同期回路、（４）は第１基準波形発生回路、（５）は第１絶対値回路、（６）は第１減算器、（７）は第１単極性積分回路、（８）は第１比較回路、（９）は検出信号発生回路で、それぞれ図７の同一参照符号に示す部分と同一構成を有し、その説明を省略する。相違する点は、点線内に示す第２基準波形発生回路（１４）と移相回路（１５）と第２絶対値回路（１６）と第２減算回路（１７）と第２単極性積分回路（１８）と第２比較回路（１９）とオア回路（２０）を付加したことである。
【００１９】
第２基準波形発生回路（１４）は基準余弦波発生回路（２１）と絶対値回路（２２）とを具備し、位相同期回路（３）から出力される同期信号に基づき電力系統（１）の系統電圧（Ｖｓ）に同期し、且つ、系統電圧（Ｖｓ）の公称値に相当する振幅を有する基準余弦波（系統電圧の９０度進相）の絶対値波形（Ｖcos * ）を発生し、例えば基準正弦波の絶対値波形（Ｖsin * ）の０点となる０度位相で絶対値波形（Ｖcos * ）はピーク点となる。
【００２０】
移相回路（１５）は不完全微分回路からなり、系統電圧（Ｖｓ）を９０度進相させるもので、他の手段や回路を用いても良い。第２絶対値回路（１６）は移相回路（１５）を通って作成された系統電圧（Ｖｓ）の進相電圧信号の絶対値波形（Ｖｓ**）を作成し、例えば系統電圧（Ｖｓ）の絶対値波形（Ｖｓ* ）の０点となる０度位相で絶対値波形（Ｖｓ**）はピーク点となる。第２減算回路（１７）は第２基準波形発生回路（１４）の出力波形（Ｖcos * ）と第２絶対値回路（１６）の出力波形（Ｖｓ**）とを減算し、無事故時には出力０となる。
【００２１】
第２単極性積分回路（１８）は第２減算回路（１７）の出力（Ｖcos * −Ｖｓ**）を半波整流して正極性成分のみを出力する半波整流回路（２３）と、半波整流回路（２３）の出力を積分する積分回路（２４）とで構成され、第２減算回路（１７）の出力（Ｖcos * −Ｖｓ**）の正極性成分のみを積分すると共に、位相同期回路（１５）から出力される基準正弦波の絶対値波形（Ｖsin * ）の所定位相（基準正弦波Ｖsin の０度、９０度、１８０度、２７０度）毎のリセット信号（Ｒｅ）によりリセットされる。
【００２２】
第２比較回路（１９）は第２単極性積分回路（１８）の積分電圧（Ｖｘ’）を正の基準電圧（Ｖｒ）と常時比較し、積分電圧（Ｖｘ’）が基準電圧（Ｖｒ）を超えた時、異常と判定して出力（Ｖｙ’）を検出信号発生回路（９）へ送る。
【００２３】
オア回路（２０）は第１、第２各比較器（８）（１９）の出力（Ｖｙ）又は（Ｖｙ’）の何れかが発生した時、ハイ信号を検出信号発生回路（９）に出力する。検出信号発生回路（９）は、オア回路（２０）の出力に基づき第１、第２単極性積分回路（７）（２４）の積分電圧（Ｖｘ）（Ｖｘ’）の何れかが基準電圧（Ｖｒ）を超えた時に比較器出力（Ｖｙ）又は（Ｖｙ’）を高レベルに保持、即ち電圧低下検出信号（Ｖｚ’）を発生保持する。
【００２４】
上記構成に基づき本発明の動作を次に説明する。まず電力系統（１）より変圧器（２）を介して入力された系統電圧（Ｖｓ）を位相同期回路（３）に入力して系統電圧（Ｖｓ）に位相同期した同期信号を発生し、第１、第２基準波形発生回路（４）（１４）へ加える。前記同期信号に基づき電力系統（１）の系統電圧（Ｖｓ）に同期し、且つ、系統電圧（Ｖｓ）の公称値に相当する振幅を有する基準正弦波及び基準余弦波の各絶対値波形（Ｖsin * ）（Ｖcos * ）を第１、第２基準波形発生回路（４）（１４）からそれぞれ発生して第１、第２減算回路（６）（１７）の各正側入力端へ加える。
【００２５】
一方、系統電圧（Ｖｓ）を第１絶対値回路（５）、及び移相回路（１５）を経て第２絶対値回路（１６）にそれぞれ入力し、系統電圧の絶対値波形（Ｖｓ* ）及び系統電圧の９０度進相信号の絶対値波形（Ｖｓ**）をそれぞれ作って第１、第２減算回路（６）（１７）の各負側入力端へ加える。
【００２６】
次に、第１、第２減算回路（６）（１７）で絶対値波形（Ｖsin * ）（Ｖcos * ）から絶対値波形（Ｖｓ* ）（Ｖｓ**）をそれぞれ減算し、各出力（Ｖsin * −Ｖｓ* ）（Ｖcos * −Ｖｓ**）をそれぞれ第１、第２各単極性積分回路（７）（１８）に加える。そこで、各出力（Ｖsin * −Ｖｓ* ）（Ｖcos * −Ｖｓ**）をそれぞれ半波整流して積分回路（１３）（２４）へ送り、各正極性成分のみを積分して積分電圧（Ｖｘ）（Ｖｘ’）をそれぞれ第１、第２各比較回路（８）（１９）へ加える。この際、第１、第２各単極性積分回路（７）（１８）は、位相同期回路（３）から与えられるリセット信号（Ｒｅ）によって基準正弦波（Ｖsin ）の０度、９０度、１８０度、２７０度の各位相でそれぞれリセットされることになる。
【００２７】
そして、第１、第２各比較回路（８）（１９）で各積分電圧（Ｖｘ）（Ｖｘ’）をそれぞれ基準電圧（Ｖｒ）と常時比較し、積分電圧（Ｖｘ）（Ｖｘ’）が基準電圧（Ｖｒ）を超えた時に出力（Ｖｙ）（Ｖｙ’）を発生してオア回路（２０）へ送る。オア回路出力でもって検出信号発生回路（９）がトリガされ、出力（Ｖｙ）又は（Ｖｙ’）が準安定状態となって電圧低下検出信号（Ｖｚ’）を発生する。
【００２８】
上記電圧低下検出回路の図１点線内に示す付加された回路において、例えば停電等により１０％の電圧低下が系統電圧０度位相で発生し、電圧低下時に位相が６０度進んだ場合、基準余弦波の絶対値波形（Ｖcos * ）及び系統電圧の絶対値波形（Ｖｓ**）は基準正弦波の絶対値波形（Ｖsin * ）及び系統電圧の絶対値波形（Ｖｓ* ）に対し９０度進相し、図２（ａ）に示すようになる。そして、系統電圧０度位相で両波形の差分が生じ、第２減算回路（１７）の出力（Ｖcos * −Ｖｓ**）において図２（ｂ）に示す鋸歯状波形（Ｖｂ’）が現れる。
【００２９】
そうすると、絶対値波形（Ｖcos * ）及び（Ｖｓ**）の各位相は基準正弦波の絶対値波形（Ｖsin * ）及び系統電圧の絶対値波形（Ｖｓ* ）に対しそれぞれ９０度進相しているため、系統電圧０度位相で１０％電圧低下が発生した場合、絶対値波形（Ｖcos * ）のピーク点で絶対値波形（Ｖｓ**）のピーク点が１０％低下（ピーク値の９０％）することになる。そのため、電圧低下発生時点で直ちに減算出力（Ｖcos * −Ｖｓ**）が現れ、検出時間が早くなる。
【００３０】
即ち、系統電圧０度位相で基準正弦波の絶対値波形（Ｖsin * ）及び系統電圧の絶対値波形（Ｖｓ* ）は共に０点になるため、従来回路では電圧低下発生時点で直ちに減算出力（Ｖsin * −Ｖｓ* ）が現れず、０から積算されるため、検出が遅れる。一方、本発明回路では直ちに減算出力（Ｖcos * −Ｖｓ**）が現れ、元々、検出が遅れ易い基準正弦波の０点時でも高速検出が可能となる。
【００３１】
尚、移相回路（１５）は不完全微分回路であるため、系統電圧（Ｖｓ）の微分により系統電圧０度位相の電圧低下の瞬間、絶対値波形（Ｖｓ**）にスパイク状の電圧が発生するが、後段の積分回路（２４）により積分されて消滅し、誤動作は発生しない。又、系統電圧（Ｖｓ）の歪みやノイズによっても同じ理由から誤動作することはない。
【００３２】
次に、波形（Ｖｂ’）を半波整流回路（２３）で半波整流して積分回路（２４）で積分し、更に位相同期回路（３）からのリセット信号（Ｒｅ）によって点線で示すように（１／４）周期毎にリセットを掛け、図２（ｃ）に示す積分電圧（Ｖｘ’）を得る。積分電圧（Ｖｘ’）が基準電圧（Ｖｒ）を超えた時点（Ｔｏ’）で第２比較回路（１９）から図２（ｄ）に示すパルス波形の出力（Ｖｙ’）を発生し、電圧低下を検出する。即ち、電圧低下発生の瞬間から検出時点（Ｔｏ’）までの時間（Ｔｂ）は図８に示す時間（Ｔａ）よりも大幅に短縮され、高速検出が可能となる。
【００３３】
又、図３（ａ）は従来回路例、即ち図１点線外回路における基準正弦波及び系統電圧の各絶対値波形図、（ｂ）はその積分電圧波形図、図３（ｃ）は図１点線内回路における基準余弦波及び系統電圧の９０度進相信号の各絶対値波形図、（ｄ）はその積分電圧波形図を示す。
【００３４】
この系統電圧０度位相で１０％電圧低下が発生した場合の従来回路と本発明の図１点線内回路における電圧低下時の系統電圧の位相変化量と検出時間遅れとの関係を図４に示す。実線が図１点線回路内の特性、破線が従来回路の特性で、図１点線内回路の検出が高速であることがわかる。尚、図４では、検出時間遅れを基準正弦波（Ｖsin ）の１サイクルを３６０度として角度に換算して示している。
【００３５】
又、電圧低下が発生する位相によっては、本発明に係る図１点線内回路よりも従来回路の方が高速に検出出来る場合があり、例えば系統電圧の９０度位相で電圧低下が発生した場合、その位相で絶対値波形（Ｖcos * ）及び（Ｖｓ**）が０点となるため、本発明に係る図１点線内回路の電圧低下検出が従来回路より遅くなる。その一例を図３に対比する形で図５に示すと、（ａ）は系統電圧９０度位相で電圧低下発生時における従来回路（図１点線外回路）の基準正弦波及び系統電圧の各絶対値波形図、（ｂ）はその積分電圧波形図、（ｃ）は同じ条件での図１点線内回路の基準余弦波及び系統電圧の９０度進相電圧の各絶対値波形図、（ｄ）はその積分電圧波形図を示し、（Ｔｐ）（Ｔｐ’）は各検出時点である。
【００３６】
そこで、本発明では、図１に示す通り、従来回路（点線外）と点線内回路とを組み合せ、それぞれの電圧低下検出出力（Ｖｙ）（Ｖｙ’）をオア回路（２０）を経て取ることで、系統電圧の如何なる位相において発生した電圧低下においても従来より同等以上の高速検出が可能となる。
【００３７】
尚、本発明は実開昭６３−１９９０７４号公報に記されている従来回路の第２の実施例（図６に示す）に対しても適用出来る。図６の場合、単極性積分回路（２５）を積分指令回路（２６）と積分回路（２７）とで構成している。
【００３８】
【発明の効果】
本発明によれば、系統電圧に同期した基準正弦波と系統電圧とを用いて系統に発生した電圧低下を検出する回路において、系統電圧に同期した基準余弦波と系統電圧の９０度進相信号とを用いて従来回路では検出遅れが生じていた位相での系統電圧低下を高速検出する回路を付加したから、従来回路との組み合わせで系統電圧の如何なる位相において電圧低下が発生しても従来と同等以上の高速で電圧低下を検出出来る。
【図面の簡単な説明】
【図１】本発明に係る電圧低下検出回路の実施の形態を示す回路図。
【図２】（ａ）（ｂ）（ｃ）（ｄ）は図１点線内回路の基準余弦波及び系統電圧進相信号の各絶対値波形図と減算器出力波形図と積分電圧波形図と比較器出力信号波形図。
【図３】（ａ）（ｂ）は従来の電圧低下検出回路の基準正弦波及び系統電圧の各絶対値波形図と積分電圧波形図。
（ｃ）（ｄ）は本発明に係る図１点線内回路の基準余弦波及び系統電圧進相信号の各絶対値波形図と積分電圧波形図。
【図４】従来と本発明に係る図１点線内回路における電圧低下時の系統電圧の位相変化量と検出時間遅れとの関係を示すグラフ。
【図５】（ａ）（ｂ）は系統電圧９０度位相で電圧低下発生時の従来回路（図１点線外回路）の基準正弦波及び系統電圧の各絶対値波形図と積分電圧波形図。
（ｃ）（ｄ）は同じ条件での図１点線内回路の基準余弦波及び系統電圧９０度進相信号の各絶対値波形図と積分電圧波形図
【図６】実開昭６３−１９９０７４号公報に記されている第２の実施例で、本発明が適用可能な回路図。
【図７】従来の電圧低下検出回路の一例を示す回路図。
【図８】（ａ）（ｂ）（ｃ）（ｄ）は図７回路の基準正弦波及び系統電圧の各絶対値波形図と減算器出力波形図と積分電圧波形図と比較器出力信号波形図。
【符号の説明】
１      電力系統
３      位相同期回路
４      第１基準波形発生回路
５      第１絶対値回路
６      第１減算回路
７      第１単極性積分回路
８      第１比較回路
９      検出信号発生回路
１４    第２基準波形発生回路
１５    移相回路
１６    第２絶対値回路
１７    第２減算回路
１８    第２単極性積分回路
１９    第２比較回路
Ｖｓ    系統電圧
Ｖｓ*   系統電圧の絶対値波形
Ｖｓ**  系統電圧９０度進相信号の絶対値波形
Ｖsin *   基準正弦波の絶対値波形
Ｖcos *   基準余弦波の絶対値波形
【図１】
0003972226.tif 000002
【図２】
0003972226.tif 000003
【図３】
0003972226.tif 000004
【図４】
0003972226.tif 000005
【図５】
0003972226.tif 000006
【図６】
0003972226.tif 000007
【図７】
0003972226.tif 000008
【図８】
0003972226.tif 000009